(57)【要約】【課題】埋設管の異常を早期に検知することが可能な沈下・浮上検知システムを提供すること。【解決手段】この沈下・浮上検知システム１０は、ライフラインを構成する埋設管３０の沈下・浮上を検出するための沈下・浮上検知装置２０〜２３が検出する埋設管３０の沈下・浮上情報と沈下・浮上検知装置２０〜２３の位置を特定するための位置情報とを受信する受信部１０１と、当該受信した沈下・浮上情報に基づいて、埋設管３０が危険な状態になっているかどうかを判断する状態判断部１０２と、当該判断の結果、埋設管３０が危険な状態なっていると判断された場合に、位置情報に基づいて当該危険な状態になっている埋設管３０の位置を特定する位置特定部１０４と、当該特定された位置から所定範囲内に対して警報を送信する警報送信部１０６と、を備える。【選択図】　図１
2004062336.tif 000002
【特許請求の範囲】
【請求項１】
ライフラインを構成する埋設管の沈下・浮上を検出するための沈下・浮上検出手段が検出する前記埋設管の沈下・浮上情報と前記沈下・浮上検出手段の位置を特定するための位置情報とを受信する受信手段と、
当該受信した沈下・浮上情報に基づいて、前記埋設管が危険な状態になっているかどうかを判断する状態判断手段と、
当該判断の結果、前記埋設管が危険な状態なっていると判断された場合に、前記位置情報に基づいて当該危険な状態になっている埋設管の位置を特定する位置特定手段と、
当該特定された位置から所定範囲内に対して警報を送信する警報送信手段と、を備える沈下・浮上検知システム。
【請求項２】
前記沈下・浮上検出手段は、前記埋設管に沿って複数設けられており、
前記受信手段が一の沈下・浮上検出手段から受信した沈下・浮上情報に基づいて、当該一の沈下・浮上検出手段に対応する部位の埋設管が危険な状態になっているかどうかを判断する予備判断手段と、
当該判断が危険な状態になっているというものである場合には、前記一の沈下・浮上検出手段に関連する他の沈下・浮上検出手段を選択する関連選択手段と、当該選択された他の沈下・浮上検出手段に対して、当該他の沈下・浮上検出手段が検出する沈下・浮上情報を送信するように指示する指示情報を送信する指示送信手段と、
を更に備え、
前記状態判断手段は、前記一の沈下・浮上検出手段及び前記他の沈下・浮上検出手段の検出結果に基づいて、前記埋設管が危険な状態になっているかどうかを判断する、請求項１に記載の沈下・浮上検知システム。
【請求項３】
受信手段が、ライフラインを構成する埋設管の沈下・浮上を検出するための沈下・浮上検出手段が検出する前記埋設管の沈下・浮上情報と前記沈下・浮上検出手段の位置を特定するための位置情報とを受信する受信ステップと、
状態判断手段が、当該受信した沈下・浮上情報に基づいて、前記埋設管が危険な状態になっているかどうかを判断する状態判断ステップと、
当該判断の結果、前記埋設管が危険な状態なっていると判断された場合に、位置特定手段が、前記位置情報に基づいて当該危険な状態になっている埋設管の位置を特定する位置特定ステップと、
警報送信手段が、当該特定された位置から所定範囲内に対して警報を送信する警報送信ステップと、
を備える沈下・浮上検知方法。
【請求項４】
前記沈下・浮上検出手段は、前記埋設管に沿って複数設けられており、
前記受信手段が一の沈下・浮上検出手段から受信した沈下・浮上情報に基づいて、予備判断手段が当該一の沈下・浮上検出手段に対応する部位の埋設管が危険な状態になっているかどうかを判断する予備判断ステップと、
当該判断が危険な状態になっているというものである場合には、関連選択手段が前記一の沈下・浮上検出手段に関連する他の沈下・浮上検出手段を選択する関連選択ステップと、
当該選択された他の沈下・浮上検出手段に対して、指示送信手段が当該他の沈下・浮上検出手段が検出する沈下・浮上情報を送信するように指示する指示情報を送信する指示送信ステップと、
を更に備え、
前記状態判断ステップにおいて前記状態判断手段は、前記一の沈下・浮上検出手段及び前記他の沈下・浮上検出手段の検出結果に基づいて、前記埋設管が危険な状態になっているかどうかを判断する、請求項３に記載の沈下・浮上検知方法。
【請求項５】
コンピュータを、
ライフラインを構成する埋設管の沈下・浮上を検出するための沈下・浮上検出手段が検出する前記埋設管の沈下・浮上情報と前記沈下・浮上検出手段の位置を特定するための位置情報とを受信する受信手段と、
当該受信した沈下・浮上情報に基づいて、前記埋設管が危険な状態になっているかどうかを判断する状態判断手段と、
当該判断の結果、前記埋設管が危険な状態なっていると判断された場合に、前記位置情報に基づいて当該危険な状態になっている埋設管の位置を特定する位置特定手段と、
当該特定された位置から所定範囲内に対して警報を送信する警報送信手段と、して機能させるための沈下・浮上検知プログラム。
【請求項６】
前記沈下・浮上検出手段は、前記埋設管に沿って複数設けられており、コンピュータを、
前記受信手段が一の沈下・浮上検出手段から受信した沈下・浮上情報に基づいて、当該一の沈下・浮上検出手段に対応する部位の埋設管が危険な状態になっているかどうかを判断する予備判断手段と、
当該判断が危険な状態になっているというものである場合には、前記一の沈下・浮上検出手段に関連する他の沈下・浮上検出手段を選択する関連選択手段と、
当該選択された他の沈下・浮上検出手段に対して、当該他の沈下・浮上検出手段が検出する沈下・浮上情報を送信するように指示する指示情報を送信する指示送信手段として更に機能させ、
前記状態判断手段は、前記一の沈下・浮上検出手段及び前記他の沈下・浮上検出手段の検出結果に基づいて、前記埋設管が危険な状態になっているかどうかを判断する、請求項５に記載の沈下・浮上検知プログラム。
【請求項７】
請求項５又は６に記載の沈下・浮上検知プログラムが記録されたことを特徴とするコンピュータ読取可能な記録媒体。
【発明の詳細な説明】
【０００１】
【発明の属する技術分野】
本発明は、沈下・浮上検知システム、沈下・浮上検知方法、沈下・浮上検知プログラム、及び、コンピュータ読取可能な記録媒体に関するものである。
【０００２】
【従来の技術】
ライフラインを構成するガス管、水道管といった埋設管は、あらゆる場所に埋設されている。例えば、道路工事をするような場合には、そのような埋設管の位置を把握し、道路工事に起因する振動といった因子によって埋設管に悪影響を与えないように配慮される。
【０００３】
【発明が解決しようとする課題】
しかしながら、確実に埋設管に対する影響を排除しながら道路工事を行うことは不可能であり、埋設管に対して予想を上回る振動が与えられてしまい、場合によっては埋設管が破裂してしまうこともある。このような埋設管の破裂といった事態を完全に排除することは困難であるけれども、実際に埋設管の破裂といった事態に陥りそうな場合には、関係各所が迅速に対応する必要がある。
【０００４】
そこで本発明では、埋設管の異常を早期に検知することが可能な、沈下・浮上検知システム、沈下・浮上検知方法、沈下・浮上検知プログラム、及び、コンピュータ読取可能な記録媒体を提供することを課題とする。
【０００５】
【課題を解決するための手段】
本発明の沈下・浮上検知システムは、ライフラインを構成する埋設管の沈下・浮上を検出するための沈下・浮上検出手段が検出する埋設管の沈下・浮上情報と沈下・浮上検出手段の位置を特定するための位置情報とを受信する受信手段と、当該受信した沈下・浮上情報に基づいて、埋設管が危険な状態になっているかどうかを判断する状態判断手段と、当該判断の結果、埋設管が危険な状態なっていると判断された場合に、位置情報に基づいて当該危険な状態になっている埋設管の位置を特定する位置特定手段と、当該特定された位置から所定範囲内に対して警報を送信する警報送信手段と、を備える。
【０００６】
本発明の沈下・浮上検知方法は、受信手段が、ライフラインを構成する埋設管の沈下・浮上を検出するための沈下・浮上検出手段が検出する埋設管の沈下・浮上情報と沈下・浮上検出手段の位置を特定するための位置情報とを受信する受信ステップと、状態判断手段が、当該受信した沈下・浮上情報に基づいて、埋設管が危険な状態になっているかどうかを判断する状態判断ステップと、当該判断の結果、埋設管が危険な状態なっていると判断された場合に、位置特定手段が、位置情報に基づいて当該危険な状態になっている埋設管の位置を特定する位置特定ステップと、警報送信手段が、当該特定された位置から所定範囲内に対して警報を送信する警報送信ステップと、を備える。
【０００７】
本発明の沈下・浮上検知プログラムは、コンピュータを、ライフラインを構成する埋設管の沈下・浮上を検出するための沈下・浮上検出手段が検出する埋設管の沈下・浮上情報と沈下・浮上検出手段の位置を特定するための位置情報とを受信する受信手段と、当該受信した沈下・浮上情報に基づいて、埋設管が危険な状態になっているかどうかを判断する状態判断手段と、当該判断の結果、埋設管が危険な状態なっていると判断された場合に、位置情報に基づいて当該危険な状態になっている埋設管の位置を特定する位置特定手段と、当該特定された位置から所定範囲内に対して警報を送信する警報送信手段と、して機能させる。
【０００８】
本発明の沈下・浮上検知システム又は本発明の沈下・浮上検知方法によれば、沈下・浮上検出手段が検出する沈下・浮上情報と位置情報とを受信するので、どの位置の埋設管が沈下しているかといった情報を取得できる。この情報に基づいて、危険な状態にある位置の埋設管から所定範囲内に対して警報を送信するので、例えば、道路工事によって埋設管が沈下した場合に、その道路工事の作業者が認識できるような警報を送信できる。またコンピュータを用いて本発明の沈下・浮上検知プログラムを実行しても同様である。
【０００９】
また本発明の沈下・浮上検知システムでは、沈下・浮上検出手段が埋設管に沿って複数設けられており、受信手段が一の沈下・浮上検出手段から受信した沈下・浮上情報に基づいて、当該一の沈下・浮上検出手段に対応する部位の埋設管が危険な状態になっているかどうかを判断する予備判断手段と、当該判断が危険な状態になっているというものである場合には、一の沈下・浮上検出手段に関連する他の沈下・浮上検出手段を選択する関連選択手段と、当該選択された他の沈下・浮上検出手段に対して、当該他の沈下・浮上検出手段が検出する沈下・浮上情報を送信するように指示する指示情報を送信する指示送信手段と、を更に備え、状態判断手段は、一の沈下・浮上検出手段及び他の沈下・浮上検出手段の検出結果に基づいて、埋設管が危険な状態になっているかどうかを判断することが好ましい。一の沈下・浮上検出手段が設置されている部位の埋設管が危険な状態になっている場合に、その一の沈下・浮上検出手段に関連する他の沈下・浮上検出手段に対して沈下・浮上情報を送信するように指示するので、危険が予測される場合に他の沈下・浮上検出手段から沈下・浮上情報を取得できる。従って全ての沈下・浮上検出手段から常に沈下・浮上情報を受信しなくても埋設管の状態を把握できる。
【００１０】
また本発明の沈下・浮上検知方法では、沈下・浮上検出手段が埋設管に沿って複数設けられており、受信手段が一の沈下・浮上検出手段から受信した沈下・浮上情報に基づいて、予備判断手段が当該一の沈下・浮上検出手段に対応する部位の埋設管が危険な状態になっているかどうかを判断する予備判断ステップと、当該判断が危険な状態になっているというものである場合には、関連選択手段が一の沈下・浮上検出手段に関連する他の沈下・浮上検出手段を選択する関連選択ステップと、当該選択された他の沈下・浮上検出手段に対して、指示送信手段が当該他の沈下・浮上検出手段が検出する沈下・浮上情報を送信するように指示する指示情報を送信する指示送信ステップと、を更に備え、状態判断ステップにおいて状態判断手段は、一の沈下・浮上検出手段及び他の沈下・浮上検出手段の検出結果に基づいて、埋設管が危険な状態になっているかどうかを判断することが好ましい。一の沈下・浮上検出手段が設置されている部位の埋設管が危険な状態になっている場合に、その一の沈下・浮上検出手段に関連する他の沈下・浮上検出手段に対して沈下・浮上情報を送信するように指示するので、危険が予測される場合に他の沈下・浮上検出手段から沈下・浮上情報を取得できる。従って全ての沈下・浮上検出手段から常に沈下・浮上情報を受信しなくても埋設管の状態を把握できる。
【００１１】
また本発明の沈下・浮上検知プログラムでは、沈下・浮上検出手段が埋設管に沿って複数設けられている状況で、コンピュータを、受信手段が一の沈下・浮上検出手段から受信した沈下・浮上情報に基づいて、当該一の沈下・浮上検出手段に対応する部位の埋設管が危険な状態になっているかどうかを判断する予備判断手段と、当該判断が危険な状態になっているというものである場合には、一の沈下・浮上検出手段に関連する他の沈下・浮上検出手段を選択する関連選択手段と、当該選択された他の沈下・浮上検出手段に対して、当該他の沈下・浮上検出手段が検出する沈下・浮上情報を送信するように指示する指示情報を送信する指示送信手段として更に機能させ、状態判断手段は、一の沈下・浮上検出手段及び他の沈下・浮上検出手段の検出結果に基づいて、埋設管が危険な状態になっているかどうかを判断することが好ましい。一の沈下・浮上検出手段が設置されている部位の埋設管が危険な状態になっている場合に、その一の沈下・浮上検出手段に関連する他の沈下・浮上検出手段に対して沈下・浮上情報を送信するように指示するので、危険が予測される場合に他の沈下・浮上検出手段から沈下・浮上情報を取得できる。従って全ての沈下・浮上検出手段から常に沈下・浮上情報を受信しなくても埋設管の状態を把握できる。
【００１２】
本発明のコンピュータ読取可能な記録媒体は、上記いずれかの沈下・浮上検知プログラムが記録されている。コンピュータを用いて、本発明の記録媒体に記録された沈下・浮上検知プログラムを実行すると、沈下・浮上検出手段が検出する沈下・浮上情報と位置情報とを受信するので、どの位置の埋設管が沈下しているかといった情報を取得できる。この情報に基づいて、危険な状態にある位置の埋設管から所定範囲内に対して警報を送信するので、例えば、道路工事によって埋設管が沈下した場合に、その道路工事の作業者が認識できるような警報を送信できる。
【００１３】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態である沈下・浮上検知システム１０について図１を用いて説明する。図１は沈下・浮上検知システム１０を説明するための図である。沈下・浮上検知システム１０は、無線通信網４０を介して沈下・浮上検知装置（沈下・浮上検出手段）２０〜２３のそれぞれと通信可能に構成されている。
【００１５】
沈下・浮上検知装置２０〜２３は、埋設管３０に沿って設置されている。沈下・浮上検知装置２０〜２３の構成について、沈下・浮上検知装置２０を例にとって図３を用いて説明する。図３は沈下・浮上検知装置２０の構成を示した図である。沈下・浮上検知装置２０は、ハウジング２０１内に主制御部２０３、太陽電池２０４、リチウムイオン電池２０５、センサ２０６、通信部２０７、警告ランプ２０８を含んで構成され、強化ガラス製の蓋２０２によって封止されている。沈下・浮上検知装置２０は、埋設管３０に当接している沈下棒５０にセンサ２０６が接するように、蓋２０２は地表面６０と略同一面になるように埋設されている。
【００１６】
沈下・浮上検知装置２０の主制御部２０３は、埋設管３０の沈下・浮上を検出したセンサ２０６からの出力信号に応じて埋設管３０が沈下・浮上したかどうかの情報（沈下・浮上情報）を取得する。主制御部２０３はその沈下・浮上情報と沈下・浮上検知装置２０自身の位置を特定する位置情報とを沈下・浮上検知システム１０に送信するように指示する信号を通信部２０７に出力する。ここで、位置情報としては、ＧＰＳといった手段によって取得された緯度経度情報でもよく、沈下・浮上検知装置２０の装置ＩＤといった情報でもよい。
【００１７】
センサ２０６が埋設管３０の沈下・浮上を検出する態様としては、埋設管３０の沈下に従って沈下棒５０が沈下し、沈下棒５０がセンサ２０６から離れることを検出するようにしてもよく、沈下棒５０の沈下量を定量的に検出するようにしてもよい。
【００１８】
また、主制御部２０３は通信部２０７が沈下・浮上検知システム１０から受信した警告信号に基づいて警告ランプ２０８を点灯若しくは点滅させる。また、主制御部２０３は、通信部２０７が沈下・浮上検知システム１０から受信した指示信号に基づいてセンサ２０６から沈下棒５０の沈下・浮上情報を取得するようにしてもよい。主制御部２０３及び通信部２０７は、太陽電池２０４又はリチウムイオン電池２０５から電力を供給されて機能する。
【００１９】
通信部２０７の通信方式は、ＴＤＭＡ（Ｔｉｍｅ　Ｄｉｖｉｓｉｏｎ　Ｍｕｌｔｉｐｌｅ　Ａｃｃｅｓｓ）方式の一つであるＰＤＣ（Ｐｅｒｓｏｎａｌ　Ｄｉｇｉｔａｌ　Ｃｅｌｌｕｌａｒ）方式を採用しているが、ＣＤＭＡ（Ｃｏｄｅ　Ｄｉｖｉｓｉｏｎ　Ｍｕｌｔｉｐｌｅ　Ａｃｃｅｓｓ）方式といった他の方式であってもよく、ＧＰＲＳ（Ｇｅｎｅｒａｌ　Ｐａｃｋｅｔ　Ｒａｄｉｏ　Ｓｅｒｖｉｃｅ）といった方式も採用可能であり、データ通信可能な種々の方式が適宜採用される。
【００２０】
沈下・浮上検知システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステムとして構成されている。
【００２１】
沈下・浮上検知システム１０は機能的な構成要素として、受信部（受信手段）１０１と、状態判断部（状態判断手段）１０２と、予備判断部（予備判断手段）１０３と、位置特定部（位置特定手段）１０４と、関連装置選択部（関連選択手段）１０５と、警報送信部（警報送信手段）１０６と、指示送信部（指示送信手段）１０７と、位置情報格納部１１０と、を含む。引き続いて、各構成要素について詳細に説明する。
【００２２】
受信部１０１は、沈下・浮上検知装置２０〜２３のそれぞれから送信される情報を、無線通信網４０を介して受信する部分である。より具体的には、各沈下・浮上検知装置２０〜２３が取得したその位置における埋設管３０の沈下に関する沈下・浮上情報と、各沈下・浮上検知装置２０〜２３の位置を特定するための位置情報を受信する。沈下・浮上情報は、その位置において埋設管３０が沈下したかどうかを示す情報でもよく、その位置における埋設管３０の沈下量に関する情報でもよい。また、位置情報は緯度経度を特定する緯度経度情報でもよく、各沈下・浮上検知装置２０〜２３のそれぞれを特定するための装置ＩＤといった情報でもよい。受信部１０１は、受信した沈下・浮上情報及び位置情報を、状態判断部１０２及び予備判断部１０３に出力する。
【００２３】
状態判断部１０２は、受信部１０２が受信した沈下・浮上情報に基づいて、各沈下・浮上検知装置２０〜２３が設置されている位置の埋設管３０が危険な状態になっているかどうかを判断する部分である。より具体的には、複数の沈下・浮上検知装置（例えば、沈下・浮上検知装置２０〜２３の全て）からその位置の埋設管３０が沈下したという沈下・浮上情報を受信した場合には、その位置において埋設管３０が危険な状態であると判断するようにしてもよい。また、沈下・浮上情報が埋設管３０の沈下量を含む場合には、その沈下量が所定の閾値を超えた場合にはその位置において埋設管３０が危険な状態であると判断するようにしてもよい。状態判断部１０２は、埋設管３０が危険な状態であると判断すると、その危険な状態にある埋設管３０に対応する位置の沈下・浮上検知装置の位置を特定する位置情報と共に位置特定部１０４に出力する。
【００２４】
位置特定部１０４は、状態判断部１０２から出力される情報に基づいて、危険な状態になっている埋設管３０の位置を特定する部分である。より具体的には、状態判断部１０２から出力される位置情報が緯度経度情報のように、直接沈下・浮上検知装置２０〜２３の位置を特定できるものである場合には、その位置情報によって特定される位置を危険な状態になっている埋設管３０の位置であるとする。一方、状態判断部１０２から出力される位置情報が装置ＩＤのような場合には、位置情報格納部１１０に格納されている位置情報に基づいて、危険な状態になっている埋設管３０の位置を特定する。位置特定部１０４は、その特定した位置に関する情報を警報送信部１０６に出力する。
【００２５】
ここで、位置情報格納部１１０に格納されている情報の例を図２（ａ）及び図２（ｂ）に示す。図２（ａ）に示す情報は、各沈下・浮上検知装置２０〜２３の属性を示す情報であり、「装置ＩＤ」「工事ＩＤ」「位置」といった情報が関連付けられて格納されている。「装置ＩＤ」は各沈下・浮上検知装置２０〜２３に固有の記号列であり、「工事ＩＤ」は各沈下・浮上検知装置２０〜２３を設置した工事業者が設定する固有の記号列であり、「位置」は各沈下・浮上検知装置２０〜２３の位置を示す緯度経度情報である。つまり、埋設管３０の近傍で工事をしようとする工事業者は、各沈下・浮上検知装置２０〜２３を購入して埋設管３０に沿って設置すると共に、各沈下・浮上検知装置２０〜２３と関連付けて「工事ＩＤ」を設定する。これによって、「装置ＩＤ」が「０００１」である沈下・浮上検知装置は、「工事ＩＤ」が「Ｗ０１」であり、その「位置」は「東経１３５°１０′２０″，北緯３８°１０′２０″」であることとなる。従って、各沈下・浮上検知装置２０〜２３からは、「装置ＩＤ」を受信すれば、その沈下・浮上検知装置を設置した工事業者や位置がわかる。ここで、「位置」の情報は、各沈下・浮上検知装置２０〜２３を設置する際に測定して入力することとなる。
【００２６】
図２（ｂ）に示す情報は、「工事ＩＤ」によって特定される各工事の情報の詳細を示すものであって、「工事ＩＤ」「工事業者」「連絡先」といった情報が関連付けられて格納されている。つまり、「工事ＩＤ」が判明すれば、その「工事ＩＤ」に対応する「工事業者」と「連絡先」とを知ることができる。
【００２７】
警報送信部１０６は、位置特定部１０４から出力された情報に基づいて、所定の警報を送信する部分である。例えば、沈下・浮上検知装置２０が設置されている付近の埋設管３０が危険な状態であると判断されれば、位置特定部１０４からは沈下・浮上検知装置２０の位置を特定する情報が出力されるので、警報送信部１０６は沈下・浮上検知装置２０の近傍にいる工事作業者に警報を送信したり、沈下検出装置２０に警告ランプ２０８を点滅させたり、位置情報格納部１１０に格納されている情報に基づいて沈下・浮上検知装置２０を設置した工事業者の連絡先に警報を送信したりする。
【００２８】
予備判断部１０３は、受信部１０２が受信した沈下・浮上情報に基づいて、各沈下・浮上検知装置２０〜２３が設置されている位置の埋設管３０が危険な状態にあるかどうかを予備的に判断する部分である。例えば、沈下・浮上検知装置２０からの情報に基づいて予備的に判断するように設定されていれば、予備判断部１０３は、沈下・浮上検知装置２０から送信される沈下・浮上情報に基づいて、沈下・浮上検知装置２０が設置されている位置の埋設管３０が危険な状態にあるかどうかを判断する。この場合には、沈下・浮上検知装置２１〜２３からは沈下・浮上情報を受信しないようにしてもよい。予備判断部１０３は予め所定の判断処理をするように設定されている沈下・浮上検知装置からの沈下・浮上情報に基づいて、その沈下・浮上検知装置が設置されている位置の埋設管３０が危険な状態にあると判断すると、その危険な状態にある埋設管３０に対応する位置の沈下・浮上検知装置を特定する情報（又はその位置を特定する位置情報）と共に関連装置選択部１０５に出力する。
【００２９】
関連装置選択部１０５は、予備判断部１０３から出力される情報に基づいて、沈下・浮上情報を送信した沈下・浮上検知装置に関連する沈下・浮上検知装置を選択する部分である。例えば、沈下・浮上検知装置２０（装置ＩＤ「０００１」）から沈下・浮上情報を受信した場合に、その装置ＩＤ「０００１」に対応する工事ＩＤ「Ｗ０１」を位置情報格納部１１０から取得する。次に、その工事ＩＤ「Ｗ０１」に該当する装置ＩＤを取得し、その装置ＩＤに対応する沈下・浮上検知装置を特定して、指示送信部１０７に出力する。
【００３０】
指示送信部１０７は、関連装置選択部１０５から出力される情報に基づいて、その情報によって特定される沈下・浮上検知装置に対して沈下・浮上情報を送信するように指示情報を送信する部分である。その指示情報を受信した沈下・浮上検知装置は、それらが設置された位置の沈下・浮上情報を取得して沈下・浮上検知システム１０に送信し、沈下・浮上検知システム１０の受信部１０１が受信する。
【００３１】
引き続いて、沈下・浮上検知システム１０を用いて埋設管の沈下・浮上検知を行う第１の方法について図４を用いて説明する。沈下・浮上検知装置２０〜２３は、その設置場所の埋設管の沈下・浮上を検出する（ステップＳ０１）。沈下・浮上検知装置２０〜２３は、その沈下・浮上情報と自身の位置情報とを沈下・浮上検知システム１０に送信する（ステップＳ０２）。
【００３２】
沈下・浮上検知システム１０の受信部１０１は、沈下・浮上情報と位置情報とを受信し、この第１の方法の場合は、状態判断部１０２に沈下・浮上情報と位置情報とを出力する（ステップＳ０３）。状態判断部１０２は、受信部１０２が受信した沈下・浮上情報に基づいて、各沈下・浮上検知装置２０〜２３が設置されている位置の埋設管３０が危険な状態になっているかどうかを判断する（ステップＳ０４）。この結果、危険性がないと判断すれば、そのまま処理を終了する。一方、危険性があると判断すると、その危険な状態にある埋設管３０に対応する位置の沈下・浮上検知装置の位置を特定する位置情報と共に位置特定部１０４に出力する。
【００３３】
位置特定部１０４は、状態判断部１０２から出力される情報に基づいて、危険な状態になっている埋設管３０の位置を特定する（ステップＳ０５）。位置特定部１０４は、その特定した位置に関する情報を警報送信部１０６に出力する。警報送信部１０６は、位置特定部１０４から出力された情報に基づいて、所定の警報を送信する（ステップＳ０６）。
【００３４】
引き続いて、沈下・浮上検知システム１０を用いて埋設管の沈下・浮上検知を行う第２の方法について図５を用いて説明する。ここでは、沈下・浮上検知装置２０が最初に沈下・浮上を検知する装置として指定されているものとする。沈下・浮上検知装置２０は、その設置場所の埋設管の沈下・浮上を検出する（ステップＳ１１）。沈下・浮上検知装置２０は、その沈下・浮上情報と自身の位置情報とを沈下・浮上検知システム１０に送信する（ステップＳ１２）。
【００３５】
沈下・浮上検知システム１０の受信部１０１は、沈下・浮上情報と位置情報とを受信し、この第２の方法の場合は、予備判断部１０３に沈下・浮上情報と位置情報とを出力する（ステップＳ１３）。予備判断部１０３は、受信部１０２が受信した沈下・浮上情報に基づいて、沈下・浮上検知装置２０が設置されている位置の埋設管３０が危険な状態にあるかどうかを予備的に判断する（ステップＳ１４）。この結果、危険性がないと判断すれば、そのまま処理を終了する。一方、危険性があると判断すると、その危険な状態にある埋設管３０に対応する位置の沈下・浮上検知装置の位置を特定する位置情報と共に関連装置選択部１０５に出力する。
【００３６】
関連装置選択部１０５は、予備判断部１０３から出力される情報に基づいて、沈下・浮上情報を送信した沈下・浮上検知装置に関連する沈下・浮上検知装置を選択する（ステップＳ１５）。例えば、沈下・浮上検知装置２０（装置ＩＤ「０００１」）から沈下・浮上情報を受信した場合に、その装置ＩＤ「０００１」に対応する工事ＩＤ「Ｗ０１」を位置情報格納部１１０から取得する。次に、その工事ＩＤ「Ｗ０１」に該当する装置ＩＤを取得し、その装置ＩＤに対応する沈下・浮上検知装置２１〜２３を特定して、指示送信部１０７に出力する。
【００３７】
指示送信部１０７は、関連装置選択部１０５から出力される情報に基づいて、その情報によって特定される沈下・浮上検知装置２１〜２３に対して沈下・浮上情報を送信するように指示情報を送信する（ステップＳ１６）。その指示情報を受信した沈下・浮上検知装置２１〜２３は、それらが設置された位置の沈下・浮上情報を取得して沈下・浮上検知システム１０に送信し、沈下・浮上検知システム１０の受信部１０１が受信する。この受信した沈下・浮上情報は、状態判断部１０２に出力され、既に図４を用いて説明した方法によって処理される。
【００３８】
次にコンピュータを、本実施形態の沈下・浮上検知システム１０として機能させるための沈下・浮上検知プログラム９２及びそれが記録されているコンピュータ読取可能な記録媒体９について説明する。図６は、沈下・浮上検知プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３９】
記録媒体９は、図６に示すように、プログラムを記録するプログラム領域９１と、データを記録するデータ領域９３とを備えている。データ領域９３には、図１を用いて説明した位置情報格納部１１０と同様の安否情報データベース９３１が格納されている。
【００４０】
プログラム領域９１には、沈下・浮上検知プログラム９２が記録されている。沈下・浮上検知プログラム９２は、処理を統括するメインモジュール９２１と、受信モジュール９２２と、状態判断モジュール９２３と、予備判断モジュール９２４と、位置特定モジュール９２５と、関連装置選択モジュール９２６と、警報送信モジュール９２７と、指示送信モジュール９２８とを備える。ここで、受信モジュール９２２、状態判断モジュール９２３、予備判断モジュール９２４、位置特定モジュール９２５、関連装置選択モジュール９２６、警報送信モジュール９２７、指示送信モジュール９２８のそれぞれを動作させることによって実現する機能は、上記沈下・浮上検知システム１０の受信部１０１、状態判断部１０２、予備判断部１０３、位置特定部１０４、関連装置選択部１０５、警報送信部１０６、指示送信部１０７のそれぞれの機能と同様である。
【００４１】
本実施形態の作用及び効果について説明する。沈下・浮上検知装置２０〜２３が検出する沈下・浮上情報と位置情報とを受信するので、どの位置の埋設管３０が沈下しているかといった情報を取得できる。この情報に基づいて、危険な状態にある位置の埋設管３０から所定範囲内に対して警報を送信するので、道路工事によって埋設管３０が沈下した場合に、各沈下・浮上検知装置２０〜２３の警告ランプ２０８を点滅させたり、その道路工事の工事業者に連絡したりして、作業者が認識できるように警報を送信できる。
【００４２】
一の沈下・浮上検知装置２０が設置されている部位の埋設管３０が危険な状態になっている場合に、その一の沈下・浮上検知装置２０に関連する他の沈下・浮上検知装置２１〜２３に対して沈下・浮上情報を送信するように指示するので、危険が予測される場合に他の沈下・浮上検知装置２１〜２３から沈下・浮上情報を取得できる。従って常に全ての沈下・浮上検知装置２０〜２３から沈下・浮上情報を受信しなくても埋設管３０の状態を把握できる。
【００４３】
また、本実施形態によれば次のようなビジネスモデルを実現することができる。まず、ガス会社、水道局、建設機械リース会社（工事業者）に事前に必要数量の沈下・浮上検知装置を購入してもらい、工事業者は沈下・浮上検知装置を設置し、工事に着手する。道路掘削中に例えば埋設管が極度に沈下していることが検知された場合には、沈下・浮上情報が沈下・浮上検知システム１０に送信される。沈下・浮上検知システム１０は工事単位（同じ工事ＩＤを持つ沈下・浮上検知装置単位）で、各沈下・浮上検知装置に沈下・浮上情報を送信するように指示を送る。この指示を受けた各沈下・浮上検知装置は、沈下・浮上情報を沈下検出システム１０に送信する。沈下検出システム１０は、この沈下・浮上情報に基づいて所定の処理を行い、埋設管が危険な状態にあれば、作業員やガス会社に緊急通報を送信する。そして現場ではこの緊急通報を受けて、工事を中止して適切な対策をとることができる。
【００４４】
【発明の効果】
本発明によれば、沈下・浮上検出手段が検出する沈下・浮上情報と位置情報とを受信するので、どの位置の埋設管が沈下しているかといった情報を取得できる。この情報に基づいて、危険な状態にある位置の埋設管から所定範囲内に対して警報を送信するので、例えば、道路工事によって埋設管が沈下した場合に、その道路工事の作業者が認識できるような警報を送信できる。従って本発明の目的とする、埋設管の異常を早期に検知することが可能な、沈下・浮上検知システム、沈下・浮上検知方法、沈下・浮上検知プログラム、及び、コンピュータ読取可能な記録媒体を提供することができた。
【図面の簡単な説明】
【図１】本発明の実施形態である沈下・浮上検知システムを説明するための図である。
【図２】図１の位置情報格納部に格納される情報の例を示した図である。
【図３】図１の沈下・浮上検知装置の構成を示した図である。
【図４】沈下・浮上検知システムを用いて沈下・浮上を確認する方法を示したフローチャートである。
【図５】沈下・浮上検知システムを用いて沈下・浮上を確認する方法を示したフローチャートである。
【図６】本発明の実施形態である沈下・浮上検知プログラムを説明するための図である。
【符号の説明】
１０…沈下・浮上検知システム、２０〜２３…沈下・浮上検知装置、３０…埋設管、４０…無線通信網、１０１…受信部、１０２…状態判断部、１０３…予備判断部、１０４…位置特定部、１０５…関連装置選択部、１０６…警報送信部、１０７…指示送信部、１１０…位置情報格納部。
【図１】
2004062336.tif 000003
【図２】
2004062336.tif 000004
【図３】
2004062336.tif 000005
【図４】
2004062336.tif 000006
【図５】
2004062336.tif 000007
【図６】
2004062336.tif 000008